(57)【要約】      （修正有）【課題】特定の文字フォーマットを利用した所定の情報が表示される表示面をぶれ等を生じさせることなく撮像して保存可能な構成を提供する。【解決手段】情報読取装置１０において、撮像部２３により撮像された撮像画像に特定の文字フォーマットを利用した旅券情報の全体が含まれているか否かに基づいて、当該撮像画像にパスポート６０の表示面６１の全体が含まれているか否かについて判定される。そして、撮像画像に表示面６１の全体が含まれていると判定されると、撮像部２３により保存用画像を撮像するために撮像処理が開始され、スピーカ４４によりこの撮像処理が開始されると所定の報知が開始されて、当該撮像処理が完了すると当該所定の報知が終了する。そして、スピーカ４４による所定の報知の開始後に、撮像部２３にて撮像処理が完了することで得た画像を保存用画像として保存するために保存処理が行われる。【選択図】図５
2019096976.tif 000002
【特許請求の範囲】
【請求項１】
特定の文字フォーマットを利用して所定の情報が表示面に表示される表示媒体を撮像して保存する撮像画像保存装置であって、
前記表示面がかざされる読取面と、
前記読取面にかざされた前記表示面を撮像するための撮像処理を行う撮像手段と、
前記撮像手段により撮像された撮像画像に前記所定の情報の全体が含まれているか否かに基づいて、当該撮像画像に前記表示面全体が含まれているか否かについて判定する判定手段と、
前記表示媒体の静止を促す所定の報知を行う報知手段と、
前記撮像手段により前記表示面を撮像した保存用画像を保存するための保存処理を行う保存手段と、
を備え、
前記撮像手段は、前記判定手段により前記撮像画像に前記表示面全体が含まれていると判定されると、前記保存用画像を撮像するために前記撮像処理を開始し、
前記報知手段は、前記撮像手段により前記保存用画像を撮像するために前記撮像処理が開始されると前記所定の報知を開始し、当該撮像処理が完了すると当該所定の報知を終了し、
前記保存手段は、前記報知手段による前記所定の報知の開始後に、前記撮像手段にて前記撮像処理が完了することで得た画像を前記保存用画像として保存するため、前記保存処理を行うことを特徴とする撮像画像保存装置。
【請求項２】
前記報知手段は、発音状態を利用して前記所定の報知を行うことを特徴とする請求項１に記載の撮像画像保存装置。
【請求項３】
前記報知手段は、発光状態を利用して前記所定の報知を行うことを特徴とする請求項１に記載の撮像画像保存装置。
【請求項４】
前記報知手段は、外部機器への通知を利用して前記所定の報知を行うことを特徴とする請求項１に記載の撮像画像保存装置。
【請求項５】
前記報知手段は、前記判定手段により前記撮像画像に前記所定の情報の全体が含まれておらず当該所定の情報の一部が含まれていると判定されると、前記読取面に対する前記表示面の移動を促す情報を報知することを特徴とする請求項１〜４のいずれか一項に記載の撮像画像保存装置。
【請求項６】
前記報知手段は、前記判定手段により前記撮像画像に前記所定の情報の全体が含まれておらず当該所定の情報の一部が含まれていると判定された後、所定時間経過後に再度前記判定手段により前記撮像画像に前記所定の情報の全体が含まれておらず当該所定の情報の一部が含まれていると判定されると、前記読取面に対する前記表示面の移動を促す情報を報知することを特徴とする請求項５に記載の撮像画像保存装置。
【請求項７】
前記判定手段は、前記撮像画像のうちの特定の領域内に前記所定の情報の全体が含まれる場合に、当該撮像画像に前記表示面全体が含まれていると判定することを特徴とする請求項１〜６のいずれか一項に記載の撮像画像保存装置。
【請求項８】
前記判定手段は、前記撮像画像のうちの前記特定の領域内に前記所定の情報の全体が含まれておらず当該所定の情報の一部が含まれている場合に、当該撮像画像に前記表示面全体が含まれておらず当該表示面の一部が含まれていると判定することを特徴とする請求項７に記載の撮像画像保存装置。
【請求項９】
前記判定手段は、前記撮像手段により撮像された撮像画像において、前記所定の情報の全体が前記特定の領域内に含まれ、且つ、当該所定の情報の全体が占める画像領域の大きさが所定値以上となる場合に、当該撮像画像に前記表示面全体が含まれていると判定することを特徴とする請求項７または８に記載の撮像画像保存装置。
【請求項１０】
前記撮像手段により撮像された撮像画像の一部を前記特定の領域が含まれるように抽出する第１抽出手段を備え、
前記判定手段は、前記第１抽出手段により抽出された前記撮像画像の一部に前記所定の情報の全体が含まれている場合に、前記撮像画像に前記表示面全体が含まれていると判定することを特徴とする請求項７に記載の撮像画像保存装置。
【請求項１１】
前記判定手段は、前記第１抽出手段により抽出された前記撮像画像の一部に前記所定の情報の全体が含まれ、且つ、当該所定の情報の全体が占める画像領域の大きさが所定値以上となる場合に、当該撮像画像に前記表示面全体が含まれていると判定することを特徴とする請求項１０に記載の撮像画像保存装置。
【請求項１２】
前記撮像画像に前記表示面全体が含まれるように前記表示面が前記読取面にかざされるとき前記読取面との間に前記表示媒体が介在するように位置する対向面が設けられ、
前記対向面には、第１の識別表示が表示され、
前記判定手段は、前記撮像手段により撮像された撮像画像において前記第１の識別表示が含まれている場合に、当該撮像画像に前記表示面全体が含まれていないと判定することを特徴とする請求項１〜１１のいずれか一項に記載の撮像画像保存装置。
【請求項１３】
前記対向面は、前記表示面を前記読取面にかざす際に前記表示媒体が差し込まれる差込口の一部を形成することを特徴とする請求項１２に記載の撮像画像保存装置。
【請求項１４】
前記対向面には、前記第１の識別表示が複数表示され、
前記判定手段は、前記撮像手段により撮像された撮像画像において複数の前記第１の識別表示の少なくとも一部が含まれている場合に、当該撮像画像に前記表示面全体が含まれておらず当該表示面の一部が含まれていると判定することを特徴とする請求項１２または１３に記載の撮像画像保存装置。
【請求項１５】
前記表示面が前記読取面にかざされていない状態において前記撮像手段により撮像された撮像画像のうち前記第１の識別表示が含まれる領域を識別表示領域とするとき、前記撮像手段により撮像された撮像画像の一部を前記識別表示領域が含まれるように抽出する第２抽出手段を備え、
前記判定手段は、前記第２抽出手段により抽出された前記撮像画像の一部に前記第１の識別表示が含まれている場合に、前記撮像画像に前記表示面全体が含まれていないと判定することを特徴とする請求項１２〜１４のいずれか一項に記載の撮像画像保存装置。
【請求項１６】
前記撮像画像に前記表示面全体が含まれるように前記表示面が前記読取面にかざされるときに前記表示媒体との接触を検出する接触センサを備え、
前記判定手段は、前記接触センサにより前記表示媒体との接触状態が検出されない場合に、前記撮像画像に前記表示面全体が含まれていないと判定することを特徴とする請求項１〜１５のいずれか一項に記載の撮像画像保存装置。
【請求項１７】
前記接触センサを複数備え、
前記判定手段は、複数の前記接触センサの少なくとも一部により前記表示媒体との接触状態が検出されない場合に、前記撮像画像に前記表示面全体が含まれていないと判定することを特徴とする請求項１６に記載の撮像画像保存装置。
【請求項１８】
前記撮像手段により撮像された情報コードおよび文字情報を光学的に読み取る光学的情報読取手段を備えることを特徴とする請求項１〜１７のいずれか一項に記載の撮像画像保存装置。
【発明の詳細な説明】
【技術分野】
【０００１】
本発明は、撮像画像保存装置に関するものである。
【背景技術】
【０００２】
現在、日本で訪日外国人が宿泊施設に泊まる際には、宿泊施設側でパスポートの写しを３年以上保存することが旅館業法で定められていることから、宿泊施設の従業員は、チェックイン処理時等に、コピー機等を利用することでパスポートを複写して保存するか、撮像画像を保存する装置を利用してパスポートを撮像した撮像画像を保存している。このように撮像した画像を保存する装置に関する技術としては、例えば、下記特許文献１に開示されるルームキー発行システムが知られている。このシステムでは、観光客自身が操作してパスポートを読み取らせることで自動的にチェックインを行ってルームキーを発行し、パスポート画像を保存している。
【先行技術文献】
【特許文献】
【０００３】
【特許文献１】特開２００８−１０２７５７号公報
【発明の概要】
【発明が解決しようとする課題】
【０００４】
ところで、パスポートを撮像する際、撮像処理中であるか否か見た目でわからないので、慣れない利用者では、撮像処理中にもかかわらず撮像完了していると誤認したために、パスポートを読取面から動かしてしまう場合がある。このような場合には、ぶれたパスポートの画像が撮像されるため、撮像画像をその都度確認しない限り、そのぶれたパスポートの画像が保存されてしまうという問題がある。特にパスポートのような公的な表示媒体は、特定の文字フォーマットを使用しており、その特定の文字フォーマットがぶれた画像で読めなければ、文字を読み取ることができず、その画像を保存しても意味がなくなってしまう。この問題は、パスポートに限らず、例えば、免許書等、特定の文字フォーマットを利用した所定の情報が表示面に表示される表示媒体を撮像した撮像画像を保存するような構成であれば同様に生じてしまう可能性がある。
【０００５】
本発明は、上述した課題を解決するためになされたものであり、その目的とするところは、特定の文字フォーマットを利用した所定の情報が表示される表示面をぶれ等を生じさせることなく撮像して保存可能な構成を提供することにある。
【課題を解決するための手段】
【０００６】
上記目的を達成するため、特許請求の範囲の請求項１に記載の発明は、
特定の文字フォーマットを利用して所定の情報（６１ａ）が表示面（６１）に表示される表示媒体（６０）を撮像して保存する撮像画像保存装置（１０，１０ａ，１０ｂ）であって、
前記表示面がかざされる読取面（１４）と、
前記読取面にかざされた前記表示面を撮像するための撮像処理を行う撮像手段（２３）と、
前記撮像手段により撮像された撮像画像に前記所定の情報の全体が含まれているか否かに基づいて、当該撮像画像に前記表示面全体が含まれているか否かについて判定する判定手段（４０）と、
前記表示媒体の静止を促す所定の報知を行う報知手段（４３，４４，１０１）と、
前記撮像手段により前記表示面を撮像した保存用画像を保存するための保存処理を行う保存手段（４０，３５，１０１）と、
を備え、
前記撮像手段は、前記判定手段により前記撮像画像に前記表示面全体が含まれていると判定されると、前記保存用画像を撮像するために前記撮像処理を開始し、
前記報知手段は、前記撮像手段により前記保存用画像を撮像するために前記撮像処理が開始されると前記所定の報知を開始し、当該撮像処理が完了すると当該所定の報知を終了し、
前記保存手段は、前記報知手段による前記所定の報知の開始後に、前記撮像手段にて前記撮像処理が完了することで得た画像を前記保存用画像として保存するため、前記保存処理を行うことを特徴とする。
なお、上記各括弧内の符号は、後述する実施形態に記載の具体的手段との対応関係を示すものである。
【発明の効果】
【０００７】
請求項１の発明では、撮像手段により撮像された撮像画像に特定の文字フォーマットを利用した所定の情報の全体が含まれているか否かに基づいて、当該撮像画像に表示面全体が含まれているか否かについて判定手段により判定される。そして、判定手段により撮像画像に表示面全体が含まれていると判定されると、撮像手段により保存用画像を撮像するために撮像処理が開始され、報知手段によりこの撮像処理が開始されると所定の報知が開始されて当該撮像処理が完了すると当該所定の報知が終了する。そして、報知手段による所定の報知の開始後に、撮像手段にて撮像処理が完了することで得た画像を保存用画像として保存するため、保存手段により保存処理が行われる。
【０００８】
これにより、特定の文字フォーマットを利用した所定の情報が表示される表示媒体の表示面を撮像する際、保存用画像を撮像するための撮像処理が開始されると、その撮像処理が終了するまで表示媒体の静止を促す所定の報知が報知手段により行われるので、この所定の報知を受けた利用者は、撮像処理中であり表示媒体を動かすべき状態でないことを容易に認識することができる。このため、撮像処理中にもかかわらず表示媒体が利用者により動かされてしまうことを抑制することができる。したがって、特定の文字フォーマットを利用した所定の情報が表示される表示面をぶれ等を生じさせることなく撮像して保存することができる。
【０００９】
請求項２の発明では、報知手段は、発音状態を利用して上記所定の報知を行うため、当該発音状態を聞いた利用者は、撮像処理中であり表示媒体を動かすべき状態でないことを確実に認識することができる。
【００１０】
請求項３の発明では、報知手段は、発光状態を利用して上記所定の報知を行うため、当該発光状態を見た利用者は、撮像処理中であり表示媒体を動かすべき状態でないことを確実に視認することができる。
【００１１】
請求項４の発明では、報知手段は、外部機器への通知を利用して上記所定の報知を行う。これにより、上記通知を受けた外部機器により上記所定の報知に対応する処理がなされることで、外部機器を介して報知を受けた利用者は、撮像処理中であり表示媒体を動かすべき状態でないことを確実に把握することができる。
【００１２】
請求項５の発明では、撮像手段により撮像された撮像画像に所定の情報の全体が含まれておらず当該所定の情報の一部が含まれていると判定されると、読取面に対する表示面の移動を促す情報が報知手段により報知される。これにより、上記報知を受けた利用者が、読取面に対して表示面を正しくかざしていないことを知得して表示面を正しい位置にかざすことで、撮像画像に表示面全体が含まれていない状態を迅速に解消することができる。
【００１３】
請求項６の発明では、判定手段により撮像画像に所定の情報の全体が含まれておらず当該所定の情報の一部が含まれていると判定された後、所定時間経過後に再度判定手段により撮像画像に所定の情報の全体が含まれておらず当該所定の情報の一部が含まれていると判定されると、読取面に対する表示面の移動を促す情報が報知手段により報知される。これにより、撮像画像に所定の情報の一部のみが含まれていても上記所定時間が経過するまで報知手段による報知がなされないため、読取面に対して表示面をかざしている途中に所定の情報の一部のみが撮像されるような場合にまで報知がなされることもないので、不要な報知を抑制することができる。
【００１４】
請求項７の発明では、撮像画像のうちの特定の領域内に所定の情報の全体が含まれる場合に、当該撮像画像に表示面全体が含まれていると判定手段により判定される。読取面に対して表示面を正しくかざしたときに撮像された撮像画像において所定の情報の全体が占める位置を上記特定の領域として予め設定することで、所定の情報に関して判定基準となる領域が明確になり、上記判定精度を向上させることができる。
【００１５】
請求項８の発明では、撮像画像のうちの特定の領域内に所定の情報の全体が含まれておらず当該所定の情報の一部が含まれている場合に、当該撮像画像に表示面全体が含まれておらず当該表示面の一部が含まれていると判定手段により判定される。このように、撮像画像に表示面全体が含まれていない場合でも、特定の領域内に所定の情報の一部が含まれている場合には、表示面の一部が含まれていると判定することができる。
【００１６】
請求項９の発明では、撮像手段により撮像された撮像画像において、所定の情報の全体が特定の領域内に含まれ、且つ、当該所定の情報の全体が占める画像領域の大きさが所定値以上となる場合に、当該撮像画像に表示面全体が含まれていると判定手段により判定される。読取面に対して表示面を近づけている途中に撮像された撮像画像では、所定の情報の全体が占める画像領域の大きさは、読取面に対して表示面を接触させた状態で撮像された撮像画像での大きさよりも小さくなる。このため、さらに、所定の情報の全体が占める画像領域の大きさが所定値以上となる判定条件を追加することで、所定の情報の全体が特定の領域内に含まれている撮像状態であっても、読取面に対して表示面を近づけている途中に撮像された撮像画像が保存されることを抑制することができる。
【００１７】
請求項１０の発明では、撮像手段により撮像された撮像画像の一部が上記特定の領域を含むように第１抽出手段により抽出され、この抽出された撮像画像の一部に所定の情報の全体が含まれている場合に、撮像画像に表示面全体が含まれていると判定手段により判定される。これにより、撮像画像から上述のように抽出した一部を判定用の画像領域として限定することができ、撮像画像の全てについて所定の情報の全体が含まれているか否かを判定する場合と比較して、判定処理の迅速化を図ることができる。
【００１８】
請求項１１の発明では、第１抽出手段により抽出された撮像画像の一部に所定の情報の全体が含まれ、且つ、当該所定の情報の全体が占める画像領域の大きさが所定値以上となる場合に、当該撮像画像に表示面全体が含まれていると判定手段により判定される。読取面に対して表示面を近づけている途中に撮像された撮像画像では、所定の情報の全体が占める画像領域の大きさは、読取面に対して表示面を接触させた状態で撮像された撮像画像での大きさよりも小さくなる。このため、さらに、所定の情報の全体が占める画像領域の大きさが所定値以上となる判定条件を追加することで、抽出された撮像画像の一部に所定の情報の全体が含まれている撮像状態であっても、読取面に対して表示面を近づけている途中に撮像された撮像画像が保存されることを抑制することができる。
【００１９】
請求項１２の発明では、撮像画像に表示面全体が含まれるように表示面が読取面にかざされるとき読取面との間に表示媒体が介在するように位置する対向面が設けられ、この対向面には、第１の識別表示が表示される。そして、撮像手段により撮像された撮像画像において第１の識別表示が含まれている場合に、当該撮像画像に表示面全体が含まれていないと判定手段により判定される。これにより、撮像画像に表示面全体が含まれるように表示面が読取面にかざされていると第１の識別表示が撮像されなくなるため、第１の識別表示の撮像の有無を判定条件の一部とすることができ、上記判定精度を向上させることができる。
【００２０】
請求項１３の発明では、対向面は、表示面を読取面にかざす際に表示媒体を差し込む差込口の一部を形成する。これにより、表示媒体を差込口に差し込むように表示面を読取面にかざした場合には表示媒体により対向面が隠されて第１の識別表示が撮像されなくなるため、上記判定精度をさらに向上させることができる。
【００２１】
請求項１４の発明では、対向面には、第１の識別表示が複数表示されており、撮像手段により撮像された撮像画像において複数の第１の識別表示の少なくとも一部が含まれている場合に、当該撮像画像に表示面全体が含まれておらず当該表示面の一部が含まれていると判定手段により判定される。このように対向面に表示される複数の第１の識別表示の撮像の有無を判定条件の一部とすることで、読取面に対して表示面をかざしている途中に複数の第１の識別表示の一部が撮像されなくなる場合でも当該撮像画像に表示面全体が含まれると判定されることもないので、上記判定精度をより向上させることができる。
【００２２】
請求項１５の発明では、表示面が読取面にかざされていない状態において撮像手段により撮像された撮像画像のうち第１の識別表示が含まれる領域を識別表示領域とするとき、撮像手段により撮像された撮像画像の一部が上記識別表示領域を含むように第２抽出手段により抽出され、この抽出された撮像画像の一部に第１の識別表示が含まれている場合に、撮像画像に表示面全体が含まれていないと判定手段により判定される。これにより、撮像画像から上述のように抽出した一部を判定用の画像領域として限定することができ、撮像画像の全てについて第１の識別表示が含まれているか否かを判定する場合と比較して、判定処理の迅速化を図ることができる。
【００２３】
請求項１６の発明では、撮像画像に表示面全体が含まれるように表示面が読取面にかざされるときに表示媒体との接触を検出する接触センサが設けられている。そして、接触センサにより表示媒体との接触状態が検出されない場合に、撮像画像に表示面全体が含まれていないと判定手段により判定される。これにより、接触センサによる検出結果を判定条件の一部とすることができ、上記判定精度を向上させることができる。
【００２４】
請求項１７の発明では、接触センサが複数設けられており、複数の接触センサの少なくとも一部により表示媒体との接触状態が検出されない場合に、撮像画像に表示面全体が含まれていないと判定手段により判定される。このように複数の接触センサの検出結果を判定条件の一部とすることで、読取面に対して表示面をかざしている途中に複数の接触センサの一部にて接触が検出される場合でも当該撮像画像に表示面全体が含まれると判定されることもないので、上記判定精度をより向上させることができる。
【００２５】
請求項１８の発明では、撮像手段により撮像された情報コードおよび文字情報を光学的に読み取る光学的情報読取手段が設けられるため、撮像画像保存装置を情報コードや文字情報を読み取ることができる光学的情報読取装置として利用することができる。
【図面の簡単な説明】
【００２６】
【図１】第１実施形態に係る情報読取装置を備える情報管理システムを説明する説明図である。
【図２】図１の情報読取装置を示す斜視図である。
【図３】図２の情報読取装置の平面図である。
【図４】図３の情報読取装置のＸ−Ｘ断面を概略的に示す断面概略図である。
【図５】図２の情報読取装置の電気的構成を概略的に例示するブロック図である。
【図６】パスポートにおける表示面の表示状態を示す説明図である。
【図７】パスポートの表示面を読取口に接触させるようにかざした状態を示す斜視図である。
【図８】第１実施形態において制御部にて行われる画像保存処理の流れを例示するフローチャートである。
【図９】第２実施形態において制御部にて行われる画像保存処理の流れを例示するフローチャートである。
【図１０】パスポートの表示面が読取口に対してずれた状態を示す斜視図である。
【図１１】図１０の状態で撮像された撮像画像を例示する説明図である。
【図１２】上位端末にパスポートの移動を促す情報が画面表示された状態を説明する説明図である。
【図１３】第３実施形態において制御部にて行われる画像保存処理の流れを例示するフローチャートである。
【図１４】第４実施形態において制御部にて行われる画像保存処理の流れを例示するフローチャートである。
【図１５】パスポートの表示面全体を撮像した撮像画像において特定文字範囲と特定の領域Ｓｍとの関係を説明する説明図である。
【図１６】逆向きにかざされたパスポートの表示面全体を撮像した撮像画像を例示する説明図である。
【図１７】第５実施形態において制御部にて行われる画像保存処理の流れを例示するフローチャートである。
【図１８】パスポートの表示面が読取口から離れた状態で撮像された撮像画像を例示する説明図である。
【図１９】第６実施形態において制御部にて行われる画像保存処理の流れを例示するフローチャートである。
【図２０】パスポートの表示面が読取口に対して適切にかざされた状態にて特定の領域に相当する撮像領域が撮像画像の一部として取り込まれる状態を説明する説明図である。
【図２１】パスポートの表示面が読取口に対してずれた状態にて特定の領域に相当する撮像領域が撮像画像の一部として取り込まれる状態を説明する説明図である。
【図２２】第７実施形態に係る情報読取装置を概略的に示す斜視図である。
【図２３】パスポートが差込口に差し込まれていない状態で撮像された撮像画像を例示する説明図である。
【図２４】第７実施形態において情報読取装置にて行われる画像保存処理の流れを例示するフローチャートである。
【図２５】パスポートが差込口に差し込まれている途中で撮像された撮像画像を例示する説明図である。
【図２６】第７実施形態の第２変形例において情報読取装置にて行われる画像保存処理の流れを例示するフローチャートである。
【図２７】第８実施形態において情報読取装置にて行われる画像保存処理の流れを例示するフローチャートである。
【図２８】識別表示領域に相当する撮像領域が撮像画像の一部として取り込まれる状態を説明する説明図である。
【図２９】パスポートの表示面が読取口に対してずれた状態にて識別表示領域に相当する撮像領域が撮像画像の一部として取り込まれる状態を説明する説明図である。
【図３０】第９実施形態に係る情報読取装置を概略的に示す平面図である。
【図３１】第９実施形態において情報読取装置にて行われる画像保存処理の流れを例示するフローチャートである。
【図３２】パスポートの表示面が読取口に対してずれた状態を示す平面図である。
【発明を実施するための形態】
【００２７】
［第１実施形態］
以下、本発明に係る撮像画像保存装置を情報読取装置に適用した第１実施形態について、図面を参照して説明する。
図１〜図３等に示す情報読取装置１０は、机や棚などの上面を載置面としてこの載置面上に載置される据置型の読取装置であって、撮像した表示媒体の情報を読み取るだけでなく当該表示媒体の撮像画像を保存保管可能な撮像画像保存装置として構成されるものである。そして、本実施形態では、図１に示すように、情報読取装置１０とこの情報読取装置１０にて取得した撮像画像や読取結果等を管理可能な上位端末１０１とを備えるように情報管理システム１００が構成されている。なお、上位端末１０１は、図１に例示するように携帯型端末として構成されてもよいし、サーバ等の据え置き型の情報処理装置として構成されてもよい。
【００２８】
本実施形態では、情報読取装置１０は、特定の文字フォーマットを利用した所定の情報や情報コード等が表示面に表示される表示媒体を撮像対象としている。このため、情報読取装置１０は、撮像した文字情報等を認識する文字認識機能として公知の記号認識処理機能（ＯＣＲ）や撮像した情報コードを読み取る情報コードリーダとしての機能など、撮像した光学的情報を光学的に読み取る機能（光学的情報読取手段）を有するように構成されている。
【００２９】
本実施形態では、特定の文字フォーマットを利用して所定の情報等が表示面に表示される表示媒体として、例えば、図６に例示するようなパスポート（旅券）６０を想定している。パスポート６０は、図６に示すように、国際民間航空機関（ＩＣＡＯ）が発行するＤｏｃ９３０３の規格に基づいて、顔写真が表示された身分事項のページ（以下、表示面６１ともいう）が見開きの一方の片面となるように構成されている。この表示面６１のうち下欄となる決められた領域には、決められた特定の文字フォーマットを利用した旅券情報６１ａが表示されている。この旅券情報６１ａには、パスポート６０を特定可能な特定情報としての旅券番号や姓名・国籍等の情報が含まれている。
【００３０】
また、読み取り対象となる情報コードとしては、例えば、バーコード等の一次元コードやＱＲコード（登録商標）等の二次元コードなど複数種類のセルが配列されて構成される公知のコードを想定している。このため、本実施形態では、パスポート６０の表示面６１を撮像して旅券情報６１ａを認識等するパスポート読取モード、情報コードを光学的に読み取る情報コード読取モード、文字認識不要な資料等を撮像してその画像を保存（保管）する撮像モードの少なくとも３つのモードが切り替え可能に用意されている。
【００３１】
情報読取装置１０は、例えばＡＢＳ樹脂等の樹脂材料によって当該情報読取装置１０の外郭を構成する筐体１１を備えている。この筐体１１は、図２等に示すように、上ケース１２と下ケース１３と備えており、これら上ケース１２と下ケース１３とが上下に組み付けられた構成で全体として略箱状に形成されている。そして、筐体１１の内部には、後述する照明光源２１、結像部２７、撮像部２３、反射部材５０などの各部品が収容されている。
【００３２】
図３等に示すように、筐体１１の上面１１ａには光の出入口となる読取口１４が矩形状に形成されており、読取口１４を介して筐体外からの光が筐体内に入り込み、筐体内からの光が筐体外に放出されるようになっている。そして、結像部２７、撮像部２３によって構成される光学系は、この読取口１４にかざされる表示媒体を撮像するように機能する。
【００３３】
筐体１１の上面１１ａは、読取口１４と当該読取口１４の一辺１４ａに連なる帯状の一端部１５とにより構成されて、保護プレート１６により保護されている。この保護プレート１６は、所定の厚さの平坦な板として構成され、筐体外からの光や筐体内からの光が透過可能となる光透過性の部材（例えば、透明なアクリル樹脂や透明ガラス等）によって構成されている。また、一端部１５には、後述する操作部４２や表示部４３等が配置されている。
【００３４】
読取口１４の四辺のうち一辺１４ａに対向する辺１４ｂは、筐体１１の上面１１ａの一縁に相当し、読取口１４の四辺のうち他の２辺１４ｃ，１４ｄも筐体１１の上面１１ａの他の一縁にそれぞれ相当する。このため、上面１１ａは、図３に示すように、一端部１５を除いた読取口１４を囲う３つの縁部分の幅が、上ケース１２の四角環状に形成される本体部１２ａの厚みにほぼ等しくなるように形成される。すなわち、上面１１ａは、辺１４ｂ〜１４ｄに沿う各縁部分の幅が一端部１５に対して小さくなるように形成されている。
【００３５】
読取口１４は、パスポート６０の表示面６１に合わせて形成されている。具体的には、読取口１４は、上記他の２辺１４ｃ，１４ｄ間の距離が表示面６１の幅Ｗ（図６参照）にほぼ一致するように形成されている。また、表示面６１とこの表示面６１を見開きの一方の片面とする他方の片面６２との間となる部分を境界部６３（図６参照）とし、図７に示すように、境界部６３を上記上面１１ａの一縁に合わせるようにパスポート６０の表示面６１を読取口１４に接触させるようにかざしたときに、読取口１４は、表示面６１の下縁６１ｂが一辺１４ａにほぼ一致するように形成されている。
【００３６】
下ケース１３は、その高さがパスポート６０の読み取りに適するように設定されている。具体的には、下ケース１３の底面１３ａには載置時に載置面に接触する複数の脚部が設けられており、下ケース１３は、図７に示すように、境界部６３を上記上面１１ａの一縁に合わせるようにパスポート６０の表示面６１を読取口１４に接触させるようにかざしたときに、他方の片面６２の一縁６２ａが底面１３ａに達し載置面には達しない高さとなるように形成されている。
【００３７】
次に、情報読取装置１０の電気的構成について説明する。図５に示すように、情報読取装置１０は、主に、照明光源２１、結像部２７、撮像部２３等の光学系と、メモリ３５、制御部４０等のマイクロコンピュータ（以下「マイコン」という）系と、図示しない電源部、電源スイッチ等の電源系とを備えている。
【００３８】
光学系は、投光光学系と、受光光学系とに分かれている。投光光学系を構成する照明光源２１は、均一な照明光を照射可能な面光源として機能するものである。この照明光源２１は、一端部１５の下方に配置されて、反射部材５０に向けて均一な照明光を照射するように構成されている。これにより、保護プレート１６による反射のために反射部材５０が撮像部２３による視野範囲に入る場合でも反射部材５０が均等に明るくなるため、反射部材５０の映り込みによる影響を抑制することができる。
【００３９】
また、図２〜図４に示すように、投光光学系は、照明光源２１からの光を反射して導く反射部材５０を備えている。この反射部材５０は、筐体１１の内部において照明光源２１からの照明光が照射される位置に配置され、照明光源２１からの照明光が読取口１４を通って筐体１１の外部に照射されるように導く構成となっている。反射部材５０は、第１反射部５１、第２反射部５２及び第３反射部５３を備えており、読取口１４の外縁側の照度を読取口１４の中心側の照度よりも高めるため、それぞれ照明光源２１から離れる方向に凸となるように湾曲して形成されている。具体的には、第１反射部５１は、図４に示すように、上端が読取口１４の辺１４ｂに連なるように湾曲して形成されている。また、第２反射部５２は上端が読取口１４の辺１４ｃに連なり、第３反射部５３は上端が読取口１４の辺１４ｄに連なるように、それぞれ形成されている。また、第１反射部５１、第２反射部５２及び第３反射部５３の下端により開口５４が構成され、この開口５４は、結像部２７を露出させるように形成されている。なお、図５では、便宜上、反射部材５０の図示を省略している。
【００４０】
図４及び図５に示すように、受光光学系は、撮像部２３、結像部２７などによって構成されている。撮像部２３は、例えばＣＣＤ素子やＣＭＯＳ素子等の固体撮像素子（受光素子）が二次元的に配列された受光センサ（エリアセンサ）などによって撮像手段として構成されており、結像部２７に面する側に筐体外からの光を受光し得る受光面２３ａが配置されている。この撮像部２３は、読取口１４を介して入射した光が結像部２７を通過して受光面２３ａに入り込もうとする入射光を受光し得るように基板に実装されている。
【００４１】
結像部２７は、公知の結像レンズによって構成され、結像光学系として機能している。この結像部２７は、撮像部２３で撮像可能となる視野範囲を定めると共に、筐体１１の外部から読取口１４を通過して入り込んだ光を撮像部２３の受光面２３ａに導く構成となっている。特に、結像部２７は、読取口１４が視野範囲内となり、保護プレート１６による反射や読取対象による反射を除いて反射部材５０が視野範囲外となるように配置されている（図４の一点鎖線Ｓ参照）。
【００４２】
そして、結像部２７は、筐体１１の外部において視野範囲内に表示面６１等の撮像対象が配置されたときに当該撮像対象の像を撮像部２３の受光面２３ａに結像させるように機能する。本構成では、照明光源２１から照射され、反射部材５０によって筐体外に導かれた照明光を撮像対象に当てながら当該撮像対象を撮像し得るようになっており、結像部２７は、撮像対象が視野範囲内（撮像エリア内）に配置されたときに、この撮像対象からの反射光Ｌｒを集光し、撮像部２３の受光面２３ａに撮像対象の像を結像させるように構成されている。
【００４３】
マイコン系は、増幅回路３１、Ａ／Ｄ変換回路３４、メモリ３５、アドレス発生回路３６、同期信号発生回路３８、制御部４０等によって構成されており、例えば上述した光学系によって撮像された表示情報等の画像信号を信号処理するように構成されている。具体的には、視野範囲内に配置された表示情報等が撮像部２３によって撮像されたときの撮像画像のデータをメモリ３５に記憶可能に構成されており、制御部４０は、このような表示情報等の画像データを解析し、文字情報等であればＯＣＲ技術を用いて認識するように構成されている。また、制御部４０は、視野範囲内に配置された情報コードが撮像部２３によって撮像された場合には、この情報コードのコード画像を解析することで光学的に読み取る情報コード読取手段として機能するように構成されている。すなわち、制御部４０は、撮像部２３による撮像結果に基づいて表示面に表示される所定の情報を読み取る光学的情報読取手段として機能する。
【００４４】
また、図５に示すように、制御部４０には、操作部４２、表示部４３、スピーカ４４、通信インタフェース４５等が接続されている。操作部４２は、一端部１５に対して外部操作可能に設けられるタッチスイッチとしてモード切替スイッチ４２ａとスキャンスイッチ４２ｂとを備えており、使用者の操作に応じて制御部４０に対して操作信号を与える構成をなしており、制御部４０は、操作部４２から操作信号を受けたとき、その操作信号に応じた動作を行うように構成されている。モード切替スイッチ４２ａは、上述したパスポート読取モード、情報コード読取モード、撮像モード等を切り替える際に操作されるスイッチとして構成され、スキャンスイッチ４２ｂは、その切り替えられたモードにて読み取りを開始する際に操作されるスイッチとして構成されている。なお、例えば、パスポート６０等、既定の表示媒体が検出可能に読取口１４にかざされる場合には、操作部４２を操作することなく、検出された表示媒体に応じたモードに自動的に切り替えた上で自動的に読み取りを開始してもよい。
【００４５】
表示部４３は、一端部１５に設けられるモード表示ＬＥＤ４３ａと読取確認等表示ＬＥＤ４３ｂとを備えており、モード切替スイッチ４２ａとスキャンスイッチ４２ｂとの間であって、読取確認等表示ＬＥＤ４３ｂがモード表示ＬＥＤ４３ａよりも細長くなるように配置されている。表示部４３は、制御部４０により制御されて、切り替えられたモードを識別可能にモード表示ＬＥＤ４３ａが点灯し、読取結果等を確認可能に読取確認等表示ＬＥＤ４３ｂが点灯するように構成されている。具体的には、例えば、モード表示ＬＥＤ４３ａは、パスポート読取モードに切り替えられている場合に緑色に点灯し、情報コード読取モードに切り替えられている場合に赤色に点灯し、撮像モードに切り替えられている場合に青色に点灯し、切り替えられたモードを表示可能な表示部として機能する。また、例えば、読取確認等表示ＬＥＤ４３ｂは、読み取り又は撮像可能な状態である場合に緑色に点灯し、読み取りが成功した場合に青色に点灯し、読み取りが失敗した場合に赤色に点灯し、読取部による読取結果を表示可能な表示部として機能する。なお、表示部４３は、「報知手段」の一例に相当し得る。
【００４６】
スピーカ４４は、公知のスピーカ等によって発音部として構成されており、制御部４０からの動作信号に応じて、予め設定された音声やアラーム音等の各種通知音を、一端部１５に設けられる放音口４４ａを介して放音するように構成されている。このため、保護プレート１６は、放音口４４ａを露出させるように形成されてもよい。なお、スピーカ４４は、「報知手段」の一例に相当し得る。
【００４７】
通信インタフェース４５は、上位端末１０１等の外部機器との間での無線通信又は有線通信にてデータ通信を行うためのインタフェースとして構成されており、制御部４０と協働して通信処理を行う構成をなしている。
【００４８】
次に、本実施形態に係る情報読取装置１０を撮像画像保存装置として利用することで、表示面６１を撮像した画像（以下、保存用画像ともいう）を保存する場合に制御部４０にてなされる画像保存処理について、図８に示すフローチャートを参照して説明する。
以下の例では、宿泊施設のカウンタ上に情報読取装置１０がセルフチェックイン端末の一部として配置されており、チェックイン時に宿泊客等の利用者が自らパスポート６０を情報読取装置１０にかざす場合について説明する。
【００４９】
宿泊施設の従業員による操作等により情報読取装置１０にて画像保存処理が開始されると、図８のステップＳ１０１に示す撮像処理がなされ、撮像部２３により読取口１４を介した画像が撮像される。次に、ステップＳ１０３に示す判定処理にて撮像画像に上記特定の文字フォーマットを利用した旅券情報６１ａを構成する文字（以下、単に特定文字ともいう）が含まれているか否かについて判定され、当該特定文字が含まれるまでＮｏとの判定がなされて、上記ステップＳ１０１からの処理が繰り返される。なお、上記特定の文字フォーマットに関する情報は、判定用情報として予めメモリ３５に記憶されているものとする。
【００５０】
そして、宿泊客等の利用者によりパスポート６０の表示面６１が読取面となる読取口１４にかざされることで、旅券情報６１ａの少なくとも一部が撮像されると、撮像画像に特定文字が含まれているとして、上記ステップＳ１０３にてＹｅｓと判定される。続いて、ステップＳ１０５に示す判定処理にて、表示面６１の全体が撮像されているか否かについて判定される。ここで、パスポート６０を読取口１４にかざしている途中であることから、撮像画像に含まれる旅券情報６１ａの位置が既定の位置でなく撮像画像に旅券情報６１ａの一部が撮像されているために、表示面６１の全体が撮像されていないと判定されると（ステップＳ１０５でＮｏ）、上記ステップＳ１０１からの処理が繰り返される。
【００５１】
一方、パスポート６０が図７に示すような既定の位置にかざされており、撮像画像に含まれる旅券情報６１ａの位置が既定の位置であることから、表示面６１の全体が撮像されていると、ステップＳ１０５にてＹｅｓと判定される。この場合には、ステップＳ１０７に示すように、画像取込処理が開始され、撮像部２３により、保存用画像を撮像するための撮像処理が開始される。なお、上記ステップＳ１０５の判定処理を実行する制御部４０は、「判定手段」の一例に相当し得る。
【００５２】
続いて、ステップＳ１０９に示すように、報知処理が開始され、パスポート６０の静止を促す所定の報知がスピーカ４４の発音状態を利用して開始される。ここで、発音状態を利用した報知としては、例えば、「パスポートを動かさないでください」との音声やビープ音等を採用することができる。なお、報知処理は、画像取込処理が開始されてから一定期間経過後（例えば、３０ｍｓ経過後）に開始されてもよいし、画像取込処理が開始されると直ちに開始されてもよい。
【００５３】
その後、一定期間経過することで、画像取込処理が完了すると（Ｓ１１１）、ステップＳ１１３に示す保存処理がなされ、画像取込処理が完了することで得た保存用画像が通信インタフェース４５を介して上位端末１０１に転送される。なお、保存処理は、保存用画像を上位端末１０１に転送することでなされることに限らず、例えば、保存用画像を保存手段として機能するメモリ３５に記憶することでなされてもよく、上位端末１０１等の外部機器への転送とメモリ３５への記憶との双方がなされてもよい。なお、上記ステップＳ１０５の処理を実行する制御部４０、上位端末１１３は、「保存手段」の一例に相当し得る。
【００５４】
上記保存処理がなされると、上述のようにスピーカ４４の発音状態を利用した所定の報知が終了する（Ｓ１１５）。このように、画像取込処理が完了するまで上記所定の報知が継続されることで、この所定の報知を受けた利用者は、撮像処理中でありパスポート６０を動かすべき状態でないことを容易に認識することができる。そして、上記所定の報知が終了すると、利用者は、パスポート６０の撮像が完了しているために、パスポート６０を動かしてもよい状態であることを容易に認識することができる。なお、所定の報知は、保存処理がなされたことを受けて終了することに限らず、画像取込処理が完了したことを受けて終了してもよい。
【００５５】
以上説明したように、本実施形態に係る情報読取装置１０では、撮像部２３により撮像された撮像画像に特定の文字フォーマットを利用した旅券情報６１ａ（所定の情報）の全体が含まれているか否かに基づいて、当該撮像画像にパスポート６０の表示面６１の全体が含まれているか否かについて判定される。そして、撮像画像に表示面６１の全体が含まれていると判定されると（Ｓ１０５でＹｅｓ）、撮像部２３により保存用画像を撮像するために撮像処理が開始され、スピーカ４４によりこの撮像処理が開始されると所定の報知が開始されて当該撮像処理が完了すると当該所定の報知が終了する。そして、スピーカ４４による所定の報知の開始後に、撮像部２３にて撮像処理が完了することで得た画像を保存用画像として保存するために保存処理が行われる。
【００５６】
これにより、特定の文字フォーマットを利用した所定の情報が旅券情報６１ａとして表示されるパスポート６０の表示面６１を撮像する際、保存用画像を撮像するための撮像処理が開始されると、その撮像処理が終了するまでパスポート６０の静止を促す所定の報知がスピーカ４４を利用して行われるので、この所定の報知を受けた利用者は、撮像処理中でありパスポート６０を動かすべき状態でないことを容易に認識することができる。このため、撮像処理中にもかかわらずパスポート６０が利用者により動かされてしまうことを抑制することができる。したがって、特定の文字フォーマットを利用した所定の情報が表示されるパスポート６０の表示面６１をぶれ等を生じさせることなく撮像して保存することができる。
【００５７】
特に、報知手段として機能するスピーカ４４の発音状態を利用して上記所定の報知を行うため、当該発音状態を聞いた利用者は、撮像処理中でありパスポート６０を動かすべき状態でないことを確実に認識することができる。
【００５８】
そして、制御部４０は、撮像部２３により撮像された情報コードおよび文字情報を光学的に読み取る光学的情報読取手段としても機能するため、本実施形態に係る情報読取装置１０を、撮像画像保存装置だけでなく情報コードや文字情報を読み取ることができる光学的情報読取装置として利用することができる。
【００５９】
なお、上記所定の報知を行う報知手段として、発音状態を利用するスピーカ４４に代えて、他の報知可能な手段、例えば、各ＬＥＤの発光状態を利用する表示部４３を採用してもよい。このように、表示部４３の発光状態を利用して上記所定の報知を行うため、当該発光状態を見た利用者は、撮像処理中でありパスポート６０を動かすべき状態でないことを確実に視認することができる。なお、表示部４３は、上述した各ＬＥＤ４３ａ，４３ｂの発光状態を利用して上記所定の報知を行うことに限らず、別途設けられる専用のＬＥＤの発光状態を利用して上記所定の報知を行ってもよい。
【００６０】
また、上記所定の報知を行う報知手段として、制御部４０は、上位端末１０１等の外部機器への通知を利用して上記所定の報知を行ってもよい。この場合には、上記通知を受けた上位端末１０１等により上記所定の報知に対応する処理がなされることで、上位端末１０１等を介して報知を受けた利用者は、撮像処理中でありパスポート６０を動かすべき状態でないことを確実に把握することができる。なお、上記通知を受けた上位端末１０１によりなされる処理としては、例えば、図１に例示するように、「パスポートを動かさないでください」等の画面表示を採用することができる。
【００６１】
［第２実施形態］
次に、本発明の第２実施形態に係る情報読取装置について、図９〜図１１を用いて説明する。
本第２実施形態では、撮像画像に旅券情報６１ａの一部が含まれており表示面６１の全体が撮像されていないと判定されるとパスポート６０の移動を促す情報が報知される点が主に上記第１実施形態と異なる。このため、第１実施形態と実質的に同様の構成部分には同一符号を付して説明を省略する。
【００６２】
上記第１実施形態における画像保存処理では、利用者がパスポート６０の表示面６１を読取口１４にかざしているつもりでも、表示面６１が読取口１４に対してずれていると、表示面６１の全体が撮像されていないと判定されることで、画像取込処理が開始されない場合がある。例えば、図１０に例示するように、表示面６１が読取口１４からずれていることから、図１１に例示するように、旅券情報６１ａの一部のみが含まれる撮像画像Ｐａが撮像されたため、表示面６１の全体が撮像されていないと判定されて、ステップＳ１０５にてＮｏと判定される。
【００６３】
そこで、本実施形態における画像保存処理では、撮像画像に旅券情報６１ａ（特定文字）の一部が含まれていると判定される一方で表示面６１の全体が撮像されていないと判定される場合には、読取口１４に対する表示面６１のずれを解消するため、パスポート６０の移動を促す情報を報知する。
【００６４】
以下、本実施形態において、情報読取装置１０の制御部４０にて行われる画像保存処理について、図９に示すフローチャートを参照して説明する。
上記第１実施形態と同様に画像保存処理が開始され、図９に示すフローチャートのように、撮像画像に特定文字が含まれていると判定され（Ｓ１０３でＹｅｓ）、表示面６１の全体が撮像されていないと判定されると（Ｓ１０５でＮｏ）、旅券情報６１ａの一部が含まれていると判定されて、ステップＳ１１７に示す移動促進報知処理がなされる。
【００６５】
この処理では、読取口１４に対する表示面６１のずれを解消するためにパスポート６０の移動を促す情報がスピーカ４４の発音状態を利用して報知される。ここで、発音状態を利用した報知としては、例えば、「パスポートをかざし直してください」との音声やビープ音等を採用することができる。また、表示部４３が有するＬＥＤの発光状態を利用してパスポート６０の移動を促す情報が報知されてもよい。
【００６６】
さらに、上記移動促進報知処理では、例えば、撮像画像に占める旅券情報６１ａ（特定文字）の位置に基づいて表示面６１のずれを解消するためのパスポート６０の移動方向を求めて、その移動方向をスピーカ４４の発音状態や表示部４３が有するＬＥＤの発光状態を利用して報知してもよい。また、上記移動促進報知処理では、例えば、上位端末１０１への通知に応じて、この通知を受けた上位端末１０１に画面表示される情報を利用して、読取口１４に対する表示面６１のずれを解消するためにパスポート６０の移動を促す情報を報知してもよい。ここで、上記通知を受けた上位端末１０１によりなされる処理としては、例えば、図１２に例示するように、「パスポートをかざし直してください」等の画面表示を採用することができる。
【００６７】
そして、上述のようなパスポート６０の移動を促す情報が報知された後、上記ステップＳ１０１からの処理がなされ、表示面６１の全体が撮像されていると判定されるまで、パスポート６０の移動を促す情報が報知される状態が継続される。そして、上記報知を受けた利用者によりかざし直されたパスポート６０の表示面６１の全体が適切に撮像されることで（Ｓ１０３、Ｓ１０５でＹｅｓ）、画像取込処理が開始される（Ｓ１０７）。
【００６８】
以上説明したように、本実施形態に係る情報読取装置１０では、撮像部２３により撮像された撮像画像に旅券情報６１ａ（所定の情報）の全体が含まれておらず当該旅券情報６１ａの一部が含まれていると判定されると（Ｓ１０５でＮｏ）、読取口１４に対するパスポート６０の表示面６１の移動を促す情報が報知手段として機能するスピーカ４４の発音状態等を利用して報知される（Ｓ１１７）。
【００６９】
これにより、上記報知を受けた利用者が、読取口１４に対してパスポート６０の表示面６１を正しくかざしていないことを知得してその表示面６１を正しい位置にかざすことで、撮像画像に表示面６１の全体が含まれていない状態を迅速に解消することができる。
【００７０】
［第３実施形態］
次に、本発明の第３実施形態に係る情報読取装置について、図１３を用いて説明する。
本第３実施形態では、撮像画像に表示面６１の全体が含まれていないと判定された後、所定時間経過後に再度撮像画像に表示面６１の全体が含まれていないと判定されると上記移動促進報知処理がなされる点が主に上記第２実施形態と異なる。このため、第２実施形態と実質的に同様の構成部分には同一符号を付して説明を省略する。
【００７１】
上記第２実施形態における画像保存処理では、撮像画像に特定文字が含まれている一方で表示面６１の全体が含まれていない場合には、画像取込処理が開始されずに読取口１４に対する表示面６１の移動を促す情報が報知される。しかしながら、例えば、読取口１４に対して表示面６１をゆっくりかざしていると、かざしている途中であっても読取口１４に対する表示面６１の移動を促す情報が不要に報知されてしまう可能性がある。
【００７２】
そこで、本実施形態における画像保存処理では、撮像画像に特定文字が含まれている状態で表示面６１の全体が含まれていないと判定された後、所定時間経過後に再度撮像画像に表示面６１の全体が含まれていないと判定される場合に、上記ステップＳ１１７に示す移動促進報知処理を行う。
【００７３】
以下、本実施形態において、情報読取装置１０の制御部４０にて行われる画像保存処理について、図１３に示すフローチャートを参照して説明する。
上記第２実施形態と同様に画像保存処理が開始され、図１３に示すフローチャートのように、撮像画像に特定文字が含まれていると判定され（Ｓ１０３でＹｅｓ）、表示面６１の全体が撮像されていないと判定されると（Ｓ１０５でＮｏ）、旅券情報６１ａの一部が含まれていると判定されて、ステップＳ１１９に示す判定処理にて、通知フラグがＯＮに設定されているか否かについて判定される。ここで、通知フラグは、上記移動促進報知処理を行う場合にＯＮに設定されるフラグであり、初期設定として画像保存処理の開始時にはＯＦＦに設定されている。このため、通知フラグがＯＦＦに設定されていることからステップＳ１１９にてＮｏと判定されると、ステップＳ１２１にて通知フラグがＯＮに設定される。
【００７４】
続いて、ステップＳ１２３の判定処理にて、通知フラグがＯＮに設定されてからの経過時間Ｔが所定時間Ｔｏ（例えば数秒）を経過しているか否かについて判定され、経過時間Ｔが所定時間Ｔｏを経過するまでＮｏとの判定が繰り返される。その後、通知フラグがＯＮに設定されてからの経過時間Ｔが所定時間Ｔｏを経過すると（Ｓ１２３でＹｅｓ）、再度上記ステップＳ１０１からの処理がなされる。
【００７５】
そして、所定時間Ｔｏ経過後でも、表示面６１の全体が撮像されていないと判定されると（Ｓ１０５でＮｏ）、上述のように通知フラグがＯＮに設定されていることから、ステップＳ１１９にてＹｅｓと判定されて、上記ステップＳ１１７に示す移動促進報知処理がなされる。
【００７６】
以上説明したように、本実施形態に係る情報読取装置１０では、撮像部２３により撮像された撮像画像に旅券情報６１ａ（所定の情報）の全体が含まれておらず当該旅券情報６１ａの一部が含まれていると判定された後（Ｓ１０５でＮｏ）、所定時間経過後に再度撮像画像に旅券情報６１ａの全体が含まれておらず当該旅券情報６１ａの一部が含まれていると判定されると（Ｓ１０５でＮｏ）、読取口１４に対する表示面６１の移動を促す情報が報知される（Ｓ１１７）。
【００７７】
これにより、例えば、撮像画像に旅券情報６１ａの一部のみが含まれていても上記所定時間Ｔｏが経過するまで報知がなされないため、読取口１４に対して表示面６１をかざしている途中に旅券情報６１ａの一部のみが撮像されるような場合にまで報知がなされることもないので、不要な報知を抑制することができる。
【００７８】
なお、上記画像保存処理において、撮像画像に表示面６１の全体が含まれていないと判定された後、所定時間経過後に再度撮像画像に表示面６１の全体が含まれていないと判定されると上記移動促進報知処理を行う本実施形態の特徴的構成は、他の実施形態にも適用することができる。
【００７９】
［第４実施形態］
次に、本発明の第４実施形態に係る情報読取装置について、図１４及び図１５を用いて説明する。
本第４実施形態では、上記画像保存処理において表示面６１の全体が撮像されているか否かについて特定文字の全体が占める所定の範囲を利用して判定処理を行っている点が主に上記第１実施形態と異なる。
【００８０】
具体的には、図１４に示すフローチャートのように、撮像画像に特定文字が含まれていると判定されると（Ｓ１０３でＹｅｓ）、ステップＳ１２５に示す特定文字範囲設定処理がなされ、撮像画像において上記特定文字の全体が占める所定の範囲が特定文字範囲として設定される。
【００８１】
次に、ステップＳ１２７に示す判定処理にて、上述のように設定された特定文字範囲が撮像画像における特定の領域Ｓｍ内に含まれているか否かについて判定される。ここで、特定の領域Ｓｍは、図７に示すような適切なかざし状態にて読取口１４に接触している表示面６１の全体が撮像された撮像画像において、旅券情報６１ａの全体が占める特定文字範囲（図１５の符号６１ｃ参照）に応じて設定されている。例えば、図１５に例示する撮像画像Ｐｂのように、画素数が１２８０×９６０のイメージセンサで読取口１４に接触している状態の表示面６１の全体を撮像したとき、特定の領域Ｓｍは、特定文字の向きを考慮して特定文字範囲６１ｃを含めるように、縦１７５画素、横１２１５画素で構成される領域として設定される。
【００８２】
そして、図７に例示するように、表示面６１が読取口１４に適切にかざされていることで、特定文字範囲６１ｃの全てが撮像画像における特定の領域Ｓｍ内に含まれていると、表示面６１の全体が撮像されているとして、ステップＳ１２７にてＹｅｓと判定されて、上記ステップＳ１０７以降の処理がなされる。
【００８３】
一方、上述した図１１に例示するように、表示面６１が読取口１４からずれて撮像されていると、特定文字範囲６１ｃの全てが撮像画像における特定の領域Ｓｍ内に含まれていないと判定されて（Ｓ１２７でＮｏ）、上記ステップＳ１０１からの処理がなされる。
【００８４】
以上説明したように、本実施形態に係る情報読取装置１０では、旅券情報６１ａの全体が占める特定文字範囲６１ｃが撮像画像のうちの特定の領域Ｓｍ内に含まれる場合に、当該撮像画像に表示面６１の全体が含まれていると判定される（Ｓ１２７でＹｅｓ）。読取口１４に対して表示面６１を正しくかざしたときに撮像された撮像画像において旅券情報６１ａの全体が占める特定文字範囲６１ｃの位置に応じて上記特定の領域Ｓｍを予め設定することで、旅券情報６１ａに関して判定基準となる領域が明確になり、上記判定精度を向上させることができる。
【００８５】
なお、本実施形態では、図１６に例示する撮像画像Ｐｃのように、パスポート６０の表示面６１が逆向きにかざされて撮像される場合でも、特定文字の向きを考慮することで、特定文字範囲６１ｃを含めるように上記特定の領域Ｓｍを設定することができる。
【００８６】
また、表示面６１の全体が撮像されているか否かについて特定文字の全体が占める所定の範囲を利用して判定処理を行う本実施形態の特徴的構成は、第２実施形態等の他の実施形態にも適用することができる。その際、第２実施形態において、撮像画像に特定文字が含まれていると判定された場合でも（図９のＳ１０３でＹｅｓ）、撮像画像のうちの特定の領域Ｓｍ内に特定文字範囲６１ｃが一部でも含まれない場合には、上記移動促進報知処理（Ｓ１１７）を行うことなく、上記ステップＳ１０１以降の処理を行ってもよい。すなわち、撮像画像のうちの特定の領域Ｓｍ内に特定文字範囲６１ｃの全体が含まれておらず当該特定文字範囲６１ｃの一部が含まれている場合に、当該撮像画像に表示面６１の全体が含まれておらず当該表示面６１の一部が含まれていると判定してもよい。このように、撮像画像に表示面６１の全体が含まれていない場合でも、特定の領域Ｓｍ内に特定文字範囲６１ｃの一部が含まれている場合には、撮像画像に表示面６１の一部が含まれていると判定することができる。
【００８７】
［第５実施形態］
次に、本発明の第５実施形態に係る情報読取装置について、図１７及び図１８を用いて説明する。
本第５実施形態では、上記画像保存処理において表示面６１の全体が撮像されているか否かについて特定文字範囲６１ｃの大きさをも考慮して判定処理を行っている点が主に上記第４実施形態と異なる。
【００８８】
具体的には、図１７に示すフローチャートのように、撮像画像に特定文字が含まれていると判定され（Ｓ１０３でＹｅｓ）、ステップＳ１２５にて設定された特定文字範囲６１ｃが撮像画像における特定の領域Ｓｍ内に含まれていると判定されると（Ｓ１２７でＹｅｓ）、ステップＳ１２９に示す判定処理にて、上述のように設定された特定文字範囲６１ｃの大きさが所定値以上であるか否かについて判定される。ここで、当該所定値は、読取口１４に接触するようにかざされた表示面６１の撮像画像において、旅券情報６１ａの全体が占める特定文字範囲６１ｃの大きさに応じて設定される。例えば、大きさを比較するために幅寸法を利用する場合、上記所定値は、読取口１４に接触するようにかざされた表示面６１の撮像画像における特定文字範囲６１ｃの幅に対して、８５％程度に設定されている。
【００８９】
そして、図７に例示するように、表示面６１が読取口１４に接触した状態で撮像されていることで特定文字範囲の大きさが所定値以上であると判定されると（Ｓ１２９でＹｅｓ）、正しい大きさにて撮像画像に表示面６１の全体が含まれているとして、上記ステップＳ１０７以降の処理がなされる。
【００９０】
一方、特定文字範囲６１ｃの全てが撮像画像における特定の領域Ｓｍ内に含まれていても、表示面６１が読取口１４から離れていることから、図１８に例示するような撮像画像Ｐｄが撮像されると、特定文字範囲の大きさ（幅Ｗｍ）が所定値未満となる。このような場合には、正しい大きさにて撮像画像に表示面６１の全体が含まれていないとして、ステップＳ１２９にてＮｏと判定されて、上記ステップＳ１０１からの処理がなされる。
【００９１】
以上説明したように、本実施形態に係る情報読取装置１０では、旅券情報６１ａの全体が占める特定文字範囲６１ｃが撮像画像のうちの特定の領域Ｓｍ内に含まれ、且つ、当該特定文字範囲６１ｃの大きさが上記所定値以上となる場合に（Ｓ１２９でＹｅｓ）、当該撮像画像に表示面６１の全体が含まれていると判定される。読取口１４に対して表示面６１を近づけている途中に撮像された撮像画像では、特定文字範囲６１ｃが占める画像領域の大きさは、読取口１４に対して表示面６１を接触させた状態で撮像された撮像画像での大きさよりも小さくなる。このため、さらに、特定文字範囲６１ｃが占める画像領域の大きさが所定値以上となる判定条件を追加することで、特定文字範囲６１ｃが特定の領域Ｓｍ内に含まれている撮像状態であっても、読取口１４に対して表示面６１を近づけている途中に撮像された撮像画像が保存されることを抑制することができる。
【００９２】
なお、上記画像保存処理において表示面６１の全体が撮像されているか否かについて特定文字範囲６１ｃの大きさをも考慮して判定処理を行う本実施形態の特徴的構成は、他の実施形態にも適用することができる。
【００９３】
［第６実施形態］
次に、本発明の第６実施形態に係る情報読取装置について、図１９〜図２１を用いて説明する。
本第６実施形態では、抽出された撮像画像の一部に所定の情報の全体が含まれている場合に、撮像画像に表示面全体が含まれていると判定する点が主に上記第４実施形態と異なる。このため、第４実施形態と実質的に同様の構成部分には同一符号を付して説明を省略する。
【００９４】
本実施形態における画像保存処理では、判定処理の迅速化を図るため、撮像部２３にて撮像可能な撮像領域よりも狭い上記特定の領域Ｓｍに相当する撮像領域をまず取り込むことで、図２０に例示するように、撮像画像の一部を上記特定の領域Ｓｍが含まれるように抽出し、この抽出された撮像画像の一部に旅券情報６１ａの全体が含まれているか否かについて判定する。
【００９５】
以下、本実施形態において、情報読取装置１０の制御部４０にて行われる画像保存処理について、図１９に示すフローチャートを参照して説明する。
上記第１実施形態と同様に画像保存処理が開始されると、まず、図１９のステップＳ１０１ａに示す処理にて、上記特定の領域Ｓｍに相当する撮像領域が撮像画像の一部として取り込まれる。なお、この処理では、図１６に例示するように逆向きにかざされた場合での特定の領域Ｓｍに相当する撮像領域も取り込むことができる。また、上記特定の領域Ｓｍに相当する撮像領域を撮像画像の一部として抽出する制御部４０は、「第１抽出手段」の一例に相当し得る。
【００９６】
そして、この取り込まれた撮像画像の一部に特定文字の少なくとも一部が含まれていると（Ｓ１０３でＹｅｓ）、この撮像画像の一部において上記特定文字の全体が占める所定の範囲が特定文字範囲として設定される（Ｓ１２５）。そして、図２０に例示するように、特定文字範囲６１ｃの全てが撮像画像における特定の領域Ｓｍ内に含まれていると（Ｓ１２７でＹｅｓ）、上記ステップＳ１０７以降の処理がなされる。
【００９７】
一方、取り込まれた撮像画像の一部に特定文字の少なくとも一部が含まれているものの（Ｓ１０３でＹｅｓ）、図２１に例示するように、特定文字範囲６１ｃの全てが撮像画像における特定の領域Ｓｍ内に含まれていない場合には（Ｓ１２７でＮｏ）、上記ステップＳ１０１からの処理がなされる。
【００９８】
このように、本実施形態では、撮像部２３により撮像された撮像画像の一部が上記特定の領域Ｓｍを含むように抽出され、この抽出された撮像画像の一部に旅券情報６１ａの全体が含まれている場合に、撮像画像に表示面６１の全体が含まれていると判定される。これにより、撮像画像から上述のように抽出した一部を判定用の画像領域として限定することができ、撮像画像の全てについて所定の情報の全体が含まれているか否かを判定する場合と比較して、判定処理の迅速化を図ることができる。より具体的には、例えば、画像全体を取り込む時間（６０ｆｐｓで１６ｍｓ）よりも、一部を取り込む時間（全体の約１／５で３．２ｍｓ）が短くなり、検出失敗時に行う上記報知までの時間を短縮することができる。
【００９９】
なお、抽出された撮像画像の一部を判定用の画像領域とする本実施形態の特徴的構成は、他の実施形態にも適用することができる。例えば、上記第５実施形態に適用する場合には、抽出された撮像画像の一部に旅券情報６１ａの全体が占める特定文字範囲６１ｃが含まれ、且つ、当該特定文字範囲６１ｃが占める画像領域の大きさが所定値以上となる場合に、当該撮像画像に表示面６１の全体が含まれていると判定することができる。これにより、上記第１実施形態と同様に、読取口１４に対して表示面６１を近づけている途中に撮像された撮像画像が保存されることを抑制することができる。
【０１００】
［第７実施形態］
次に、本発明の第７実施形態に係る情報読取装置について、図２２〜図２５を用いて説明する。
本第７実施形態では、差込口に設けられるマーカを考慮して撮像画像に表示面全体が含まれているか否かについて判定する点が主に上記第２実施形態と異なる。このため、第２実施形態と実質的に同様の構成部分には同一符号を付して説明を省略する。
【０１０１】
図２２に例示するように、本実施形態に係る情報読取装置１０ａは、上述した情報読取装置１０に対して、読取口１４の近傍にパスポート６０が差し込まれる差込口７０を備えるように構成されている。この差込口７０は、下方に位置する裏面（以下、対向面７１ともいう）が撮像部２３により撮像可能に読取口１４に対向しており、この対向面７１は、撮像画像に表示面６１の全体が含まれるように表示面６１が読取口１４にかざされるとき読取口１４との間にパスポート６０が介在するように位置する。
【０１０２】
対向面７１には、２つのマーカ７２ａ，７２ｂが互いに離れるように表示されている。このため、パスポート６０が差込口７０に差し込まれていない状態では、図２３に例示するように、対向面７１と２つのマーカ７２ａ，７２ｂとが撮像されることとなる。なお、マーカ７２ａ，７２ｂは、「第１の識別表示」の一例に相当し得るもので、撮像画像から認識しやすくするため、例えば、図２３に例示するように、ＱＲコードの位置検出パターンと同様に、暗、明、暗、明、暗の順番でその連続比率が１：１：３：１：１となるように構成することができる。
【０１０３】
そして、制御部４０にて行われる画像保存処理では、図２４のステップＳ１０１に示す撮像処理がなされて読取口１４を介した画像が撮像された後、ステップＳ２０１に示す判定処理にてその撮像画像に全てのマーカ７２ａ，７２ｂが含まれているか否かについて判定される。ここで、パスポート６０が差込口７０に差し込まれていないことから、撮像画像にマーカ７２ａ，７２ｂの双方が含まれている場合には、ステップＳ２０１にてＹｅｓと判定されて、上記ステップＳ１０１からの処理が繰り返される。
【０１０４】
一方、パスポート６０が差込口７０に差し込まれている途中であることから、例えば、図２５に例示するように、このパスポート６０によりマーカ７２ａが隠されてマーカ７２ｂが撮像画像に含まれていると、ステップＳ２０１にてＮｏ、ステップＳ２０３にてＹｅｓと判定される。この場合には、上述したステップＳ１１７に示す移動促進報知処理がなされ、読取口１４に対する表示面６１の移動を促す情報を報知するための処理がなされる。
【０１０５】
そして、パスポート６０が差込口７０に差し込まれることで、このパスポート６０によりマーカ７２ａおよびマーカ７２ｂの双方が隠されると、ステップＳ２０３にてＮｏと判定されて、上記第２実施形態と同様にステップＳ１０３からの処理がなされる。
【０１０６】
このように、本実施形態では、撮像画像に表示面６１の全体が含まれるように表示面６１が読取口１４にかざされるとき読取口１４との間にパスポート６０が介在するように位置する対向面７１が設けられ、この対向面７１には、第１の識別表示としてマーカ７２ａ，７２ｂが表示される。そして、撮像部２３により撮像された撮像画像においてマーカ７２ａ，７２ｂが含まれている場合に、当該撮像画像に表示面６１の全体が含まれていないと判定される。これにより、撮像画像に表示面６１の全体が含まれるように表示面６１が読取口１４にかざされているとマーカ７２ａ，７２ｂが撮像されなくなるため、マーカ７２ａ，７２ｂの撮像の有無を判定条件の一部とすることができ、上記判定精度を向上させることができる。
【０１０７】
特に、対向面７１は、表示面６１を読取口１４にかざす際にパスポート６０を差し込む差込口７０の一部を形成する。これにより、パスポート６０を差込口７０に差し込むように表示面６１を読取口１４にかざした場合にはパスポート６０により対向面７１が隠されてマーカ７２ａ，７２ｂが撮像されなくなるため、上記判定精度をさらに向上させることができる。
【０１０８】
また、対向面７１には、第１の識別表示として２つのマーカ７２ａ，７２ｂが互いに離れるように表示されており、撮像部２３により撮像された撮像画像において２つのマーカ７２ａ，７２ｂの少なくとも一部が含まれている場合に、当該撮像画像に表示面６１の全体が含まれていないと判定される。このように対向面７１に表示される２つのマーカ７２ａ，７２ｂの撮像の有無を判定条件の一部とすることで、読取口１４に対して表示面６１をかざしている途中に２つのマーカ７２ａ，７２ｂの一部が撮像されなくなる場合でも当該撮像画像に表示面６１の全体が含まれると判定されることもないので、上記判定精度をより向上させることができる。
【０１０９】
さらに、撮像部２３により撮像された撮像画像に２つのマーカ７２ａ，７２ｂの少なくとも一部が含まれていることから、表示面６１の全体が含まれていないと判定されると（Ｓ２０３でＹｅｓ）、読取口１４に対する表示面６１の移動を促す情報が報知される（Ｓ１１７）。このようにしても、報知を受けた利用者が、読取口１４に対して表示面６１を正しくかざしていないことを知得して表示面６１を正しい位置にかざすことで、撮像画像に表示面６１の全体が含まれていない状態を迅速に解消することができる。
【０１１０】
なお、本実施形態の第１変形例として、上記第３実施形態と同等の効果を奏するため、撮像部２３により撮像された撮像画像に２つのマーカ７２ａ，７２ｂの少なくとも一部が含まれていることから、表示面６１の全体が含まれていないと判定された後、所定時間経過後に再度撮像部２３により撮像された撮像画像に２つのマーカ７２ａ，７２ｂの少なくとも一部が含まれていることから、表示面６１の全体が含まれていないと判定されることで、読取口１４に対する表示面６１の移動を促す情報が報知されてもよい。
【０１１１】
図２６は、第４実施形態の第２変形例において情報読取装置にて行われる画像保存処理の流れを例示するフローチャートである。
本実施形態の第２変形例として、上記第１実施形態と異なり、特定の文字フォーマットを利用した旅券情報６１ａを利用することなく、対向面７１に表示される第１の識別表示を利用して撮像画像に表示面６１の全体が含まれているか否かについて判定してもよい。
【０１１２】
具体的には、図２６に示すフローチャートのように、ステップＳ１０１に示す撮像処理がなされて読取口１４を介した画像が撮像された後、その撮像画像に全てのマーカ７２ａ，７２ｂが含まれていないことからステップＳ２０１にてＮｏと判定され、マーカ７２ａおよびマーカ７２ｂの双方が隠されていることから、ステップＳ２０３にてＮｏと判定されると、上記ステップＳ１０７以降の処理がなされる。一方、撮像画像に全てのマーカ７２ａ，７２ｂが含まれておらず（Ｓ２０１でＮｏ）、マーカ７２ａおよびマーカ７２ｂの少なくとも一部が隠されて残部が撮像画像に含まれていると（Ｓ２０３でＹｅｓ）、読取口１４に対する表示面６１の移動を促す情報を報知するため上述したステップＳ１１７に示す移動促進報知処理がなされる。
【０１１３】
このようしても、撮像画像に表示面６１の全体が含まれていない場合にはその撮像画像が保存されないので、撮像画像に表示面６１の全体が含まれているか否かについて従業員等が確認作業を行う必要も無い。特に、撮像画像に表示面６１の全体が含まれるように表示面６１が読取口１４にかざされていると２つのマーカ７２ａ，７２ｂが撮像されなくなるため、目的のパスポート６０の表示面６１を撮像しているか否かを容易に判定でき、その判定精度を高めることができる。したがって、旅券情報６１ａが表示される表示面６１の撮像画像に対して確認作業を要することなく自動保存でき、撮像画像の保存に関する作業の自動化を図り易くすることができる。
【０１１４】
なお、本実施形態及び変形例において、対向面７１に設けられる第１の識別表示は、２つのマーカ７２ａ，７２ｂに限らず、１つのマーカであってもよいし３つ以上のマーカであってもよい。また、対向面７１に設けられる第１の識別表示は、マーカ７２ａ，７２ｂのようにＱＲコードの位置検出パターンと同様に形成されることに限らず、撮像画像から認識しやすい形状であれば、矩形状や円形状、環状等の他の形状にて形成されてもよい。
【０１１５】
なお、差込口７０の対向面７１に第１の識別表示として設けられるマーカ７２ａ，７２ｂを考慮して撮像画像に表示面６１の全体が含まれているか否かについて判定する本実施形態及び変形例の特徴的構成は、他の実施形態にも適用することができる。
【０１１６】
［第８実施形態］
次に、本発明の第８実施形態に係る情報読取装置について、図２７〜図２９を用いて説明する。
本第８実施形態では、抽出された撮像画像の一部に第１の識別表示が含まれている場合に、撮像画像に表示面全体が含まれているか否かについて判定する点が主に上記第７実施形態と異なる。このため、第７実施形態と実質的に同様の構成部分には同一符号を付して説明を省略する。
【０１１７】
本実施形態における画像保存処理では、判定処理の迅速化を図るため、表示面６１が読取口１４にかざされていない状態において撮像部２３により撮像された撮像画像のうちマーカ７２ａ，７２ｂが含まれる領域を識別表示領域Ｓａとするとき、撮像部２３により撮像された撮像画像の一部を上記識別表示領域Ｓａが含まれるように抽出し、この抽出された撮像画像の一部にマーカ７２ａ，７２ｂが含まれているか否かについて判定する。本実施形態では、図２８に例示するように、対向面７１に相当する撮像領域が識別表示領域Ｓａとして設定される。
【０１１８】
以下、本実施形態において、情報読取装置１０ａの制御部４０にて行われる画像保存処理について、図２７に示すフローチャートを参照して説明する。
上記第７実施形態と同様に画像保存処理が開始されると、まず、図２７のステップＳ１０１ｂに示す処理にて、識別表示領域Ｓａを含むように撮像画像の一部が取り込まれる。また、識別表示領域Ｓａを撮像画像の一部として抽出する制御部４０は、「第２抽出手段」の一例に相当し得る。
【０１１９】
そして、この取り込まれた撮像画像の一部に全てのマーカ７２ａ，７２ｂが含まれていないことからステップＳ２０１にてＮｏと判定され、マーカ７２ａおよびマーカ７２ｂの双方が隠されていることから、ステップＳ２０３にてＮｏと判定されると、上記ステップＳ１０３からの処理がなされる。一方、図２８に例示するように上記撮像画像の一部に全てのマーカ７２ａ，７２ｂが含まれている場合には（Ｓ２０１でＹｅｓ）、上記ステップＳ１０１ｂからの処理が繰り返される。また、図２９に例示するようにマーカ７２ａが隠されてマーカ７２ｂが撮像画像に含まれていると（Ｓ２０１でＮｏ，Ｓ２０３でＹｅｓ）、上記ステップＳ１１７に示す移動促進報知処理がなされる。
【０１２０】
このように、本実施形態では、撮像部２３により撮像された撮像画像の一部が上記識別表示領域Ｓａを含むように抽出され、この抽出された撮像画像の一部にマーカ７２ａ，７２ｂが含まれている場合に、撮像画像に表示面６１の全体が含まれていないと判定される。これにより、撮像画像から上述のように抽出した一部を判定用の画像領域として限定することができ、撮像画像の全てについてマーカ７２ａ，７２ｂが含まれているか否かを判定する場合と比較して、判定処理の迅速化を図ることができる。より具体的には、例えば、検出失敗時に行う上記報知までの時間を短縮することができる。
【０１２１】
［第９実施形態］
次に、本発明の第９実施形態に係る情報読取装置について、図３０〜図３２を用いて説明する。
本第９実施形態では、読取口１４の近傍に設けられる接触センサの検出結果を考慮して撮像画像に表示面全体が含まれているか否かについて判定する点が主に上記第２実施形態と異なる。このため、第２実施形態と実質的に同様の構成部分には同一符号を付して説明を省略する。
【０１２２】
図３０に例示するように、本実施形態に係る情報読取装置１０ｂは、上述した情報読取装置１０に対して、保護プレート１６上に４つの接触センサ７５ａ〜７５ｄが設けられるように構成されている。各接触センサ７５ａ〜７５ｄは、図７に示すような適切なかざし状態にて、パスポート６０の表示面６１の四隅近傍に接触するようにそれぞれ配置されており、その検出結果を制御部４０に出力するように構成されている。このため、撮像画像に表示面６１の外縁を除くほぼ全体が含まれるように表示面６１が読取口１４に接触していると、各接触センサ７５ａ〜７５ｄからの接触信号が制御部４０に入力され、表示面６１が読取口１４に接触していない場合には、接触信号が制御部４０に入力されない。すなわち、各接触センサ７５ａ〜７５ｄは、撮像画像に表示面６１のほぼ全体が含まれるように表示面６１が読取口１４にかざされるときにパスポート６０との接触を検出するように機能する。
【０１２３】
そして、制御部４０にて行われる画像保存処理では、図３１のステップＳ１０１に示す撮像処理がなされて読取口１４を介した画像が撮像された後、ステップＳ３０１に示す判定処理にて各接触センサ７５ａ〜７５ｄのうちの少なくとも一部から接触信号が入力されているか否かについて判定される。ここで、表示面６１が読取口１４に接触するようにパスポート６０がかざされていない場合や、表示面６１が読取口１４から離れていることから、各接触センサ７５ａ〜７５ｄのいずれからも接触信号が入力されない場合には、ステップＳ３０１にてＮｏと判定されて、上記ステップＳ１０１からの処理が繰り返される。
【０１２４】
一方、図３２に例示するように、表示面６１が読取口１４に接触するようにパスポート６０がかざされている途中であることから、各接触センサ７５ａ〜７５ｄのうちの一部（図３２の例では、接触センサ７５ｃ，７５ｄ）から接触信号が入力されていると、ステップＳ３０１にてＹｅｓ、ステップＳ３０３にてＮｏと判定されて、上記ステップＳ１１７に示す移動促進報知処理がなされる。すなわち、全ての接触センサ７５ａ〜７５ｄによりパスポート６０との接触状態が検出されない場合には、撮像画像に表示面６１の全体が含まれていないと判定される。なお、図３２では、便宜上、パスポート６０を二点鎖線にて図示している。
【０１２５】
そして、図７に例示するように、表示面６１の中央と読取口１４の中央とがほぼ一致して表示面６１と読取口１４とが接触するようにパスポート６０が適切にかざされることで、各接触センサ７５ａ〜７５ｄの全てから接触信号がそれぞれ入力されると、ステップＳ３０３にてＹｅｓと判定されて、上記第２実施形態と同様にステップＳ１０３からの処理がなされる。なお、上記ステップＳ１０１における撮像処理は、上記ステップＳ３０３の判定処理にてＹｅｓと判定された後に行うようにしてもよい。
【０１２６】
このように、本実施形態では、撮像画像に表示面６１のほぼ全体が含まれるように表示面６１が読取口１４にかざされるときにパスポート６０との接触を検出する接触センサ７５ａ〜７５ｄが設けられている。そして、各接触センサ７５ａ〜７５ｄによりパスポート６０との接触状態が検出されない場合に、撮像画像に表示面６１の全体が含まれていないと判定される。これにより、各接触センサ７５ａ〜７５ｄによる検出結果を判定条件の一部とすることができ、上記判定精度を向上させることができる。
【０１２７】
特に、４つの接触センサ７５ａ〜７５ｄが読取口１４に設けられており、各接触センサ７５ａ〜７５ｄの少なくとも一部によりパスポート６０との接触状態が検出されない場合に、撮像画像に表示面６１の全体が含まれていないと判定される。このように複数の接触センサの検出結果を判定条件の一部とすることで、読取口１４に対して表示面６１をかざしている途中に複数の接触センサの一部にて接触が検出される場合でも当該撮像画像に表示面６１の全体が含まれると判定されることもないので、上記判定精度をより向上させることができる。なお、読取口１４に設けられる接触センサは、４つ設けられることに限らず、１つ〜３つ設けられてもよいし、５つ以上設けられてもよい。また、接触センサに代えて測距センサを設けることでパスポート６０までの距離を測定し、この測定結果を、撮像画像に表示面６１の全体が含まれているか否かを判定するための判定条件の一部としてもよい。
【０１２８】
なお、読取口１４に設けられる接触センサ等の検出結果を考慮して撮像画像に表示面６１の全体が含まれているか否かについて判定する本実施形態の特徴的構成は、他の実施形態にも適用することができる。
【０１２９】
なお、本発明は上記各実施形態及び変形例に限定されるものではなく、例えば、以下のように具体化してもよい。
（１）本発明は、宿泊施設のチェックイン時に利用されることなく様々な用途に利用することができ、パスポート６０の表示面６１が撮像画像を保存する保存対象となることに限らず、例えば、特定の文字フォーマット等を利用して所定の情報が表示される運転免許証や領収書、名刺等の表示媒体の表示面であれば撮像画像を保存する保存対象とすることができる。
【０１３０】
（２）本発明に係る撮像画像保存装置は、情報読取装置１０，１０ａ，１０ｂのように撮像した光学的情報（情報コードや文字情報等）を光学的に読み取る機能を有するように構成されることに限らず、少なくとも読取面にかざされた表示媒体の表示面を撮像する撮像手段とその撮像画像を保存する保存手段、撮像処理中の表示媒体を動かすべき状態でないこと等を報知可能な報知手段等とを有するように構成されればよい。その際、撮像処理中の表示媒体を動かすべき状態でないこと等を報知可能な報知手段としては、上述したスピーカ４４や表示部４３、上位端末１０１等に限らず、他の報知可能な手段を採用することができる。
【符号の説明】
【０１３１】
１０，１０ａ，１０ｂ…情報読取装置
１４…読取口（読取面）
２３…撮像部（撮像手段）
３５…メモリ（保存手段）
４０…制御部（判定手段，保存手段，第１抽出手段，第２抽出手段，情報コード読取手段）
４３…表示部（報知手段）
４４…スピーカ（報知手段）
６０…パスポート（表示媒体）
６１…表示面
６１ａ…旅券情報（所定の情報）
７０…差込口
７１…対向面
７２ａ，７２ｂ…マーカ（第１の識別表示）
７５ａ〜７５ｄ…接触センサ
１００…情報管理システム
１０１…上位端末（報知手段，保存手段）
【図１】
2019096976.tif 000003
【図２】
2019096976.tif 000004
【図３】
2019096976.tif 000005
【図４】
2019096976.tif 000006
【図５】
2019096976.tif 000007
【図６】
2019096976.tif 000008
【図７】
2019096976.tif 000009
【図８】
2019096976.tif 000010
【図９】
2019096976.tif 000011
【図１０】
2019096976.tif 000012
【図１１】
2019096976.tif 000013
【図１２】
2019096976.tif 000014
【図１３】
2019096976.tif 000015
【図１４】
2019096976.tif 000016
【図１５】
2019096976.tif 000017
【図１６】
2019096976.tif 000018
【図１７】
2019096976.tif 000019
【図１８】
2019096976.tif 000020
【図１９】
2019096976.tif 000021
【図２０】
2019096976.tif 000022
【図２１】
2019096976.tif 000023
【図２２】
2019096976.tif 000024
【図２３】
2019096976.tif 000025
【図２４】
2019096976.tif 000026
【図２５】
2019096976.tif 000027
【図２６】
2019096976.tif 000028
【図２７】
2019096976.tif 000029
【図２８】
2019096976.tif 000030
【図２９】
2019096976.tif 000031
【図３０】
2019096976.tif 000032
【図３１】
2019096976.tif 000033
【図３２】
2019096976.tif 000034